(57)【要約】【課題】  艇番などの競争主体に付された番号を気にせずに、コース番号などの出走位置に対応づけられた番号から簡単に投票することができるようにすること。【解決手段】  例えば競艇においては、本番前にスタート展示を行って各艇のコース番号が確定されるが、本発明ではスタート展示によるコース取りによる艇番を確認することなくコース番号からの投票を可能とする。投票券の発売前に、スタート展示の結果が確定されていれば、どのコースがどの艇番だったのかが分かる。この結果をシステムに登録しておき、マークシート１上でコース番号から投票するためのチェックを入れて、どのコース番号かを投票すると、このコース番号が艇番に変換され、艇番による投票券２が発行される。また、スタート展示前にコース番号による投票券を発行する場合には、コース番号が記録された投票券を発行し、投票券の払戻時にコース番号を艇番に変換し払戻を行なう。【選択図】          図１
2006106932.tif 000002
【特許請求の範囲】
【請求項１】
マークシートに記入された投票データに基づき投票券を発行する投票券発行方法であって、
上記マークシート上に記入された投票データを読み取り、
上記マークシートに記入された個々の競争主体の出走位置に対応付けられて付与されたコース番号を、個々の競争主体に付与された番号に変換し、
上記変換された番号を投票データとした投票券を発行する
ことを特徴とする投票券発行方法。
【請求項２】
マークシートに記入された投票データに基づき投票券を発行する投票券発行装置であって、
上記マークシート上に記入された投票データを読み取る手段と、
競争主体の出走位置に対応付けられて付与されたコース番号を、個々の競争主体に付与された番号に変換する変換手段と、
上記マークシートに記入されたコース番号を、上記変換手段により個々の競争主体に付与された番号に変換し、投票券を発行する投票券発行手段を備えた
ことを特徴とする投票券発行装置。
【請求項３】
上記コース／枠番号は、競艇におけるコース番号であって、上記変換手段は、スタート展示で確定したコース番号と艇番との対応関係により、コース番号を艇番に変換する
ことを特徴とする請求項２の投票券発行装置。
【発明の詳細な説明】
【技術分野】
【０００１】
本発明は競艇、あるいは競馬、競輪、オートレースなどの公営競技における投票券の発行方法及び装置に関する。
【背景技術】
【０００２】
競艇、あるいは競馬、競輪、オートレースなどの公営競技においては、マークシートに、レースＮｏ．、連勝、単勝などの賭式別、投票番号、金額などの投票データを記入し、投票券発行端末に挿入することで、投票券を発行している。
上記投票券の発行に関して、従来から種々のものが提案されており、例えば特許文献１には、マークシートから読み取った式別が不明なとき、番号を元に式別を判別し、発券を行う自動判別発券方式が記載されている。
また、特許文献２には、全レースを購入する場合には、全レースの欄を塗りつぶせばよく、必要なレース番号毎にいちいち記入するのが不要な簡易な入力方法を実現した投票カードおよび投票カード発行装置が記載されている。
【０００３】
公営競技において投票券を購入する際には、上記マークシートにレース番号と、単勝式、複勝式等の式別と、出走する競争主体を特定する馬番（競馬の場合）、車番（競輪の場合）、艇番（競艇の場合）などの番号、複数の競争主体からなるグループに付された枠番等の番号（例えば競馬、競輪など）と、金額等を記入し投票券発行端末に挿入する。
これにより、投票券発行装置から、マークシートに記入した式別、競争主体の番号もしくは枠番、金額などが印刷された投票券が発行される。
【特許文献１】特開平６−１６２３０１号公報
【特許文献２】特開平１０−１２４７２６号公報
【発明の開示】
【発明が解決しようとする課題】
【０００４】
従来においては、上述したように、マークシートに、馬番、車番、艇番などの競争主体を特定する番号、もしくは、枠番を記入しており、競争主体が出走する位置に対応づけられた番号（例えば競艇においてはコース番号）で、投票することはできなかった。
例えば、競艇においては、艇番でしか投票できず、このため、ボートで選ぶか人で選んで、その艇番から投票するしか術がなかった。競艇ではインコース有利の定説やカド有利と言われることもあり、コースを元に投票を考えることが多々ある。
競艇では本番前にスタート展示を行ってコース取りを行っているが、現状では、コースから投票を行うことができないため、艇の状態や人のテクニック、スタート展示によるコース取りから艇番を確認して投票する必要があり、比較的重要な要素であると考えられるコースから直接の投票ができず、手間がかかっていた。
これでは投票の幅が狭く、ファンの投票機会を小さくしていたことになり、ひいては売上幅を下げる要因ともなっていた。
本発明は上記した事情に鑑みなされたものであって、本発明の目的は、艇番などの競争主体に付された番号を気にせずに、コース番号などの出走位置に対応づけられた番号から簡単に投票することができ、また、押さえとして上記出走位置に対応けられたコース番号等で投票をすることも可能な、ファンの投票機会の拡大に貢献でき、売上幅の向上に貢献することができる投票券の発行方法および投票券発行装置を提供することである。
【課題を解決するための手段】
【０００５】
本発明においては、上記課題を次のように解決する。
図１は本発明の概要を説明する図である。本発明では、マークシートに記入された個々の競争主体の出走位置に対応付けられて付与されたコース番号を、個々の競争主体に付与された番号に変換し、変換された番号を投票データとした投票券を発行する。
例えば競艇においては、同図のＡに示すように本番前にスタート展示を行ってコース取りを行い、各艇のコース番号が確定される。
現状では、スタート展示によるコース取りから艇番を確認して、艇番で投票していたが、本発明では、コース番号から投票を可能とする。
すなわち、図１に示すようにマークシート１上でコース番号から投票するためのチェックを入れることで、コース番号で投票ができるようにする。
投票券の発売前に、スタート展示の結果が確定されていれば、どのコースがどの艇番だったのかが分かる。そこで、この結果をシステムに登録しておき、マークシート上でコース番号から投票するためのチェックを入れて、どのコース番号かを投票すると、このコース番号が艇番に変換され、図１に示すように艇番による投票券２が発行される。
また、スタート展示前に、コース番号による投票券を発行する場合には、マークシート上でコース番号から投票するためのチェックを入れ、マークシートに番号を記入する。これにより、コース番号が印刷された投票券が発行される。
スタート展示により、どのコースがどの艇番であるかが確定すると、コースと艇番がリンクされ、投票券の払戻時にコース番号が艇番に変換され艇番により払戻が行われる。
【発明の効果】
【０００６】
本発明においては、以下の効果を得ることができる。
（１）競争主体の出走位置に対応付けられて付与されたコース番号を、個々の競争主体に付与された番号に変換し、変換された番号を投票データとした投票券を発行するようにしたので、艇番を気にせず簡単にコースから投票を行うことができる。このため、コースによる艇番等の確認の必要がなくなり、その分投票に時間を費やすことができるようになる。
（２）コースメリットの特性から直接投票が行えるので、今までのように艇番を確認する手間もなく、新たに押さえとしてコース番号で購入するという可能性が広がり、売上幅をあげることに貢献できる。
（３）コース番号からの投票が可能となるので、投票の幅が広がり、ファンの投票機会の拡大に貢献することが期待できる。
【発明を実施するための最良の形態】
【０００７】
以下、本発明を競艇に適用した場合について説明するが、本発明は、コース番号等の出走位置に対応付けられた番号で投票可能なその他の公営競技にも同様に適用することができる。
図２は本発明の第１の実施例のシステムの機能構成を示す図であり、本実施例は、スタート展示後に投票券を発行する場合のシステムの機能構成を示している。
図２において、１０は競技場内に設置された処理装置であり、処理装置１０には、通信回線などを介して、競技場内に設置された投票券発行端末２０、投票券払戻端末３０が接続される。また、処理装置１０は、中央に設置された上位ホストコンピュータ４０に接続されている。
投票券発行端末２０はマークシートを読み取り、投票券を発行するための端末であり、投票券発行端末２０には、マークシートを読み取るためのカードリーダ２１、表示部２４、投票券を発行する発券部２３と、これらを制御する制御部２２が設けられている。
投票券払戻端末３０は、的中した投票券を払い戻すための端末であり、的中した投票券が入力されると、オッズに応じた払戻金を的中投票券の購入者に払い戻す。
【０００８】
図３は上記マークシートと投票券の一例を示す図である。同図（ａ）に示すように、本実施例のマークシートには、例えばレースＮｏ．をマークする欄と、単勝式、複勝式等の式別をマークする欄と、艇番から投票するのか、コース番号から投票するかの投票方式をマークするための欄と、艇番号、コース番号等の投票番号をマークするための欄と、金額をマークするための欄等が設けられる。
投票者は、スタート展示の結果からコース取りを確認したのち、上記各欄に適宜マークして、上記投票券発行端末２０に投入する。例えば、コース番号から投票する場合には、投票方式の欄にコース番号から投票するためマークを記入し、投票番号の欄に、投票するコース番号をマークする。
投票券発行端末２０は、上記カードリーダ２１により、上記マークシートを読み取り、投票データを処理装置１０に転送する。処理装置１０では、投票方式の欄にマークが付されていると、スタート展示結果に基づき上記コース番号を艇番に変換した投票券データを投票券発行端末２０に転送する。これにより、投票券発行端末２０には、例えば図３（ｂ）に示すように、コース番号を艇番に変換した投票券が発行される。
【０００９】
上記処理装置１０は、スタート展示結果入力処理部１１と、コース番号／艇番号変換テーブル作成処理部１２を備える。そして、前記図１に示したようにスタート展示によりどのコースがどの艇番なのかが確定し、この結果が入力されると、コース番号／艇番号変換テーブル作成処理部１２は、レースＮＯ．、出走者名（出走艇番号）などが格納された出走票テーブルファイル１６を参照して、スタート展示結果入力処理部１１から与えられるコース番号と艇番号の対応に基づき、コース番号を艇番号に変換するためのコース番号／艇番号変換テーブルを作成し、変換テーブル格納ファイル１７に格納する。
コース番号選択投票券発売処理部１３は、投票券発行端末２０にマークシートが投入され、投票券発行端末２０から投票データが送られてくると、出走票テーブルを参照して、投票データを確認するとともに、マークシートの投票方式の欄にマークが付されているか否かをチェックする。
【００１０】
投票方式の欄にマークが付されている場合には、上記コース番号／艇番号変換テーブルを参照して、マークシートの投票番号の欄のコース番号を艇番号に変換し、この艇番号等を、投票券に記録すべきデータとともに、投票券発行端末２０に転送する。これにより、前記図３（ｂ）に示したような投票券が発行される。
オッズ反映処理部１５は、上記艇番号に基づきオッズを計算して、オッズテーブル格納ファイル１８のオッズを更新する。
レースが終了し投票券払戻端末３０に投票券が投入され、投票券払戻端末３０から投票券データが転送されてくると、処理装置１０の投票券払戻処理部１４は、投入された投票券データの艇番号等を確認し、的中投票券の場合には、オッズテーブル格納ファイル１８のオッズを参照して払戻金額を計算し、投票券払戻端末３０に送る。これにより、投票券払戻端末３０で的中投票券の払戻が行なわれる。
【００１１】
図４は本発明の第１の実施例の上記処理装置１０における処理手順を示すフローチャートである。
スタート展示が行なわれスタート展示結果が入力されると、前記したように、スタート展示結果入力処理を行い、スタート展示結果、すなわち、コース番号に対応する艇番号を読み込む（ステップＳ１）。
ついで、上記コース番号と艇番号の対応に基づき、コース番号／艇番号変換テーブルの作成処理を行ない、作成されたコース番号／艇番号変換テーブルを、変換テーブル格納ファイル１７に格納する（ステップＳ２）。
マークシートが投票券発行端末２０に投入され、マークシートに記入されたデータが転送されてくると、コース番号選択投票券発行処理、コース番号艇番号変換処理を行なう（ステップＳ３，Ｓ４）。
すなわち、前記したようにマークシートの投票方式の欄のマークの有無をチェックし、この欄にマークが付されている場合には、上記コース番号／艇番号変換テーブルを参照してコース番号を艇番号に変換し、この艇番号等を、投票券に記録すべきデータとともに、投票券発行端末２０に転送する。また、上記艇番号をオッズ反映処理部１５に送る。
オッズ反映処理部１５では、上記投票された艇番号を、オッズに反映させるオッズ反映処理を行なう（ステップＳ５）。
レースが終了し、投票券が投票券払戻端末３０に投入されると、投票券払戻端末３０から転送されてくる艇番号などの投票券データを確認し、オッズなどに基づき払戻金を計算して、投票券払戻端末３０に送信する（ステップＳ６）。
【００１２】
図５は本発明の第２の実施例のシステムの機能構成を示す図であり、本実施例は、スタート展示前に投票券を発行するシステムの機能構成を示しており、前記図２に示したものと同様にものには同一の符号が付されている。
本実施例ではコース取りが確定するコース展示前に投票券を発行するので、コース展示前にコース番号で投票した場合、投票券にはコース番号しか記録されず、投票券の払戻時に投票券のコース番号を艇番号に変換し、払い戻しを行う。
図５において、処理装置１０は、前記したように投票券発行端末２０、投票券払戻端末３０に接続され、また、中央に設置された上位ホストコンピュータ４０に接続されている。投票券発行端末２０は前記したように、カードリーダ２１、表示部２４、発券部２３と、制御部２２が設けられている。
【００１３】
コース番号選択投票券発売処理部１３は、スタート展示前に、投票券発行端末２０にマークシートが投入され、投票券発行端末２０から投票データが送られてくると、出走票テーブルを参照して投票データを確認するとともに、マークシートの投票方式の欄にマークが付されているか否かをチェックし、投票券に記録すべきデータとともに、投票券発行端末２０に転送する。
なお、この段階では、スタート展示によるコース取りが行なわれておらず、コース番号と艇番号が対応付けられていないので、マークシートの投票方式の欄にマークが付されていても、投票券には、投票番号として「コース番号」が記録され、また、投票方式がコース番号による投票であることが記録される。
【００１４】
スタータ展示が行なわれ、どのコースがどの艇番なのかが確定し、この結果が入力されると、処理装置１０のコース番号／艇番号変換テーブル作成処理部１２は、前記したように、出走票テーブルファイル１６を参照して、スタート展示結果入力処理部１１から与えられるコース番号と艇番号の対応に基づき、コース番号／艇番号変換テーブルを作成し、変換テーブル格納ファイル１７に格納する。
オッズ反映処理部１５は、上記艇番号に基づきオッズを計算して、オッズテーブル格納ファイル１８のオッズを更新する。
レースが終了し投票券払戻端末３０に投票券が投入され、投票券払戻端末３０から投票券データが転送されてくると、処理装置１０のコース番号選択投票券払戻処理部１９は、投票方式がコース番号による投票であるかをチェックし、コース番号による投票の場合は、上記コース番号／艇番号変換テーブルを参照して、投票券のコース番号を艇番号に変換し、この艇番号を確認する。そして、的中投票券の場合には、オッズテーブル格納ファイル１８のオッズを参照して払戻金額を計算し、投票券払戻端末３０に送る。これにより、投票券払戻端末３０で的中投票券の払戻が行なわれる。
【００１５】
図６は本発明の第２の実施例の上記処理装置１０における処理手順を示すフローチャートである。
スタート展示前に、マークシートが投票券発行端末２０に投入され、マークシートに記入されたデータが転送されてくると、コース番号選択投票券発行処理が行なわれる（ステップＳ１）。すなわち、前記したように、マークシートの投票方式の欄にマークが付されているか否かをチェックし、マークシートの投票方式の欄にマークが付されている場合には、投票番号としてコース番号が記録され、投票方式がコース番号による投票であることが記録した投票券が発行される。
スタート展示が行なわれスタート展示結果が入力されると、前記したように、スタート展示結果入力処理を行い、スタート展示結果、すなわち、コース番号に対応する艇番号を読み込む（ステップＳ２）。
【００１６】
ついで、上記コース番号と艇番号の対応に基づき、コース番号／艇番号変換テーブルの作成処理を行ない、作成されたコース番号／艇番号変換テーブルを、変換テーブル格納ファイル１７に格納する（ステップＳ３）。また、このコース番号／艇番号変換テーブルを参照して、投票方式がコース番号による投票であることが記録された投票券のコース番号を艇番号に変換し（ステップＳ４）、オッズ反映処理部１５に送る。オッズ反映処理部１５では、上記投票された艇番号を、オッズに反映させるオッズ反映処理を行なう（ステップＳ５）。
レースが終了し、投票券が投票券払戻端末３０に投入されると、コース番号選択投票券払戻処理を行なう（ステップＳ６）。
すなわち、投票券払戻端末３０から転送されてくる投票券データの投票方式が、コース番号による投票であるかをチェックし、コース番号による投票の場合には、コース番号／艇番号変換テーブルを参照して投票券データのコース番号を艇番号に変換し、この投票券が的中投票券であるかを確認する。
的中投票券であれば、オッズなどに基づき払戻金を計算して、投票券払戻端末３０に送信する。
【図面の簡単な説明】
【００１７】
【図１】本発明の概要を説明する図である。
【図２】本発明の第１の実施例のシステムの機能構成を示すブロック図である。
【図３】マークシートと投票券の一例を示す図である。
【図４】本発明の第１の実施例の処理装置の処理を示すフローチャートである。
【図５】本発明の第２の実施例のシステムの機能構成を示すブロック図である。
【図６】本発明の第２の実施例の処理装置の処理を示すフローチャートである。
【符号の説明】
【００１８】
１０  処理装置
１１  スタート展示結果入力処理部
１２  コース番号／艇番号変換テーブル作成処理部
１３  コース番号選択投票券発売処理部
１４  投票券払戻処理部
１５  オッズ反映処理部
１６  出走票テーブル格納ファイル
１７  コース番号／艇番号変換テーブル格納処理部
１８  オッズテーブル格納処理部
１９  コース番号選択投票券払戻処理部
２０  投票券発行端末
２１  カードリーダ
２２  制御部
２３  発券部
２４  表示部
３０  投票券払戻端末
４０  上位ホストコンピュータ
【図１】
2006106932.tif 000003
【図２】
2006106932.tif 000004
【図３】
2006106932.tif 000005
【図４】
2006106932.tif 000006
【図５】
2006106932.tif 000007
【図６】
2006106932.tif 000008